(57)【特許請求の範囲】
【請求項１】
建物の周囲に配置され、前記建物への浸水を抑制する防水シートであって、
複数の前記防水シートを帯状に連結可能であり、
前記防水シートの一方の端部から、反対側の端部に向けて延びるスリットと、
前記スリットの状態を、閉じた状態と、開放可能な状態との間で切り替え可能な開閉部材と、
前記スリットの両端に接続し、前記スリットが閉じているときは屈曲した状態にあり、前記スリットが開放されているときは伸展するシート状のスリットカバー部と、
を備える、
防水シート。
【請求項２】
請求項１に記載の防水シートであって、
前記開閉部材はファスナー、又は面ファスナーである、
防水シート。
【請求項３】
請求項１又は２に記載の防水シートであって、
前記防水シート同士は、ファスナー、又は面ファスナーにより連結される、
防水シート。
【請求項４】
請求項１〜３のいずれか１項に記載の防水シートであって、
複数の前記防水シートを帯状に連結したときの長手方向に沿って複数配置された、ベルト通し用の環状部材をさらに備える、
防水シート。
【請求項５】
複数の防水シートを含む防水シートの集合体であって、
前記複数の防水シートは、請求項１に記載の防水シートを含む、
防水シートの集合体。
【発明の詳細な説明】
【技術分野】
【０００１】
本開示は防水シート及び防水シートの集合体に関する。
【背景技術】
【０００２】
例えば、台風、集中豪雨等のとき、建物への浸水が生じる。建物への浸水を防ぐために、建物の周囲に塀を築く技術が特許文献１に開示されている。
【先行技術文献】
【特許文献】
【０００３】
【特許文献１】特許第６５０１９６１号公報
【発明の概要】
【発明が解決しようとする課題】
【０００４】
特許文献１に記載の塀を築くためには大規模な工事が必要になる。本開示の１つの局面では、必ずしも大規模な工事を行わなくても建物への浸水を抑制できる防水シート及び防水シートの集合体を提供することが好ましい。
【課題を解決するための手段】
【０００５】
本開示の１つの局面は、建物の周囲に配置され、前記建物への浸水を抑制する防水シートであって、複数の前記防水シートを帯状に連結可能である防水シートである。
本開示の１つの局面である防水シートを複数連結し、建物の周囲に配置することができる。そのことにより、必ずしも大規模な工事を行わなくても建物への浸水を抑制することができる。
【図面の簡単な説明】
【０００６】
【図１】スリット１５が閉じた状態である第１の防水シート１の構成を表す斜視図である。
【図２】角６５に対向する部分に配置された第１の防水シート１の構成を表す斜視図である。
【図３】角６５に対向する部分に配置された第１の防水シート１の構成を表す斜視図である。
【図４】平坦な壁６７に対向する部分に配置された第２の防水シート４１の構成を表す斜視図である。
【図５】建物６３の周囲に配置された連結体６１の構成を表す斜視図である。
【発明を実施するための形態】
【０００７】
本開示の例示的な実施形態について図面を参照しながら説明する。
１．第１の防水シート１の構成
第１の防水シート１は防水シートに対応する。第１の防水シート１の構成を、図１〜図３に基づき説明する。第１の防水シート１は、建物の周囲に配置される。第１の防水シート１は、建物への浸水を抑制する目的で使用される。第１の防水シート１は、本体部３と、ファスナー５、７、９、１１と、環状部材１３と、スリットカバー部１４と、を備える。
【０００８】
本体部３は、樹脂から成るシート状の部材である。樹脂として、例えば、塩ビ、ナイロン等が挙げられる。本体部３は、折り曲げ可能である。本体部３の厚みは、例えば、０．０５ｍｍ以上、５ｍｍ以下である。図１に示すように、本体部３が平らな状態のとき、平面視における本体部３の形状は、例えば、矩形である。平面視における本体部３の形状は、矩形以外の形状であってもよい。
【０００９】
本体部３は、スリット１５を備える。スリット１５は、本体部３の一方の端部１７から、反対側の端部１９に向けて延びている。スリット１５は、端部１９に達していてもよいし、達していなくてもよい。図１〜図３に示す形態では、スリット１５は、端部１９に達していない。
【００１０】
ファスナー５は、本体部３における端部２１に設けられている。端部２１は、端部１７及び端部１９に隣接する端部である。ファスナー１１は、本体部３における端部２３に設けられている。端部２３は、端部２１とは反対側の端部である。
【００１１】
ファスナー５は、例えば、隣接する他の第１の防水シート１におけるファスナー１１と噛み合い、接続することができる。ファスナー５が、隣接する他の第１の防水シート１におけるファスナー１１と噛み合い、接続したとき、第１の防水シート１と、隣接する他の第１の防水シート１とは連結する。  
また、ファスナー５は、後述する第２の防水シート４１におけるファスナー４７と噛み合い、接続することができる。ファスナー５が、第２の防水シート４１におけるファスナー４７と噛み合い、接続したとき、第１の防水シート１と、第２の防水シート４１とは連結する。
【００１２】
ファスナー１１は、例えば、隣接する他の第１の防水シート１におけるファスナー５と噛み合い、接続することができる。ファスナー１１が、隣接する他の第１の防水シート１におけるファスナー５と噛み合い、接続したとき、第１の防水シート１と、隣接する他の第１の防水シート１とは連結する。  
また、ファスナー１１は、例えば、後述する第２の防水シート４１におけるファスナー４５と噛み合い、接続することができる。ファスナー１１が、第２の防水シート４１におけるファスナー４５と噛み合い、接続したとき、第１の防水シート１と、第２の防水シート４１とは連結する。
【００１３】
ファスナー７は、スリット１５を構成する一方の端部２５に設けられ、ファスナー９は、スリット１５を構成する反対側の端部２７に設けられている。端部２５及び端部２７はスリット１５の両端に対応する。図１に示すように、ファスナー７、９が噛み合い、接続したとき、スリット１５の状態は、閉じた状態となる。図２、図３に示すように、ファスナー７、９が接続していないとき、スリット１５の状態は、開放可能な状態になる。ファスナー７、９は、スリット１５の状態を、閉じた状態と、開放可能な状態との間で切り替え可能である。ファスナー７、９は、開閉部材に対応する。
【００１４】
スリットカバー部１４は、樹脂から成るシート状の部材である。樹脂として、例えば、塩ビ、ナイロン等が挙げられる。スリットカバー部１４は、折り曲げ可能である。スリットカバー部１４の厚みは、例えば、０．０５ｍｍ以上、５ｍｍ以下である。
【００１５】
図２に示すように、スリットカバー部１４が平らな状態のとき、平面視におけるスリットカバー部１４の形状は、例えば、矩形である。平面視におけるスリットカバー部１４の形状は、矩形以外の形状であってもよい。
【００１６】
スリットカバー部１４における端部２９は、スリット１５を構成する端部２５に接続している。スリットカバー部１４における端部３１は、スリット１５を構成する端部２７に接続している。端部２９と端部３１とは、スリットカバー部１４における頂点３３を挟んで隣り合う。
【００１７】
図１に示すように、スリット１５が閉じているとき、スリットカバー部１４は屈曲した状態にある。図２、図３に示すように、スリット１５が開放されているとき、スリットカバー部１４は伸展している。
【００１８】
環状部材１３は、本体部３に取り付けられている。環状部材１３は、端部１９に沿って複数配列されている。複数の環状部材１３に、１本のベルト５７を通すことが可能である。
２．第２の防水シート４１の構成
第２の防水シート４１は防水シートに対応する。第２の防水シート４１の構成を、図４に基づき説明する。第２の防水シート４１は、本体部４３と、ファスナー４５、４７と、環状部材４９と、を備える。
【００１９】
本体部４３は、樹脂から成るシート状の部材である。樹脂として、例えば、塩ビ、ナイロン等が挙げられる。本体部４３は、折り曲げ可能である。本体部４３の厚みは、例えば、０．０５ｍｍ以上、５ｍｍ以下である。本体部４３が平らな状態のとき、平面視における本体部４３の形状は、例えば、矩形である。平面視における本体部４３の形状は、矩形以外の形状であってもよい。
【００２０】
ファスナー４５は、本体部４３における端部５１に設けられている。ファスナー４７は、本体部４３における端部５３に設けられている。端部５３は、端部５１とは反対側の端部である。
ファスナー４５は、例えば、隣接する第１の防水シート１におけるファスナー１１と噛み合い、接続することができる。ファスナー４５が、隣接する第１の防水シート１におけるファスナー１１と噛み合い、接続したとき、第２の防水シート４１と、隣接する第１の防水シート１とは連結する。  
また、ファスナー４５は、例えば、隣接する他の第２の防水シート４１におけるファスナー４７と噛み合い、接続することができる。ファスナー４５が、隣接する他の第２の防水シート４１におけるファスナー４７と噛み合い、接続したとき、第２の防水シート４１と、隣接する他の第２の防水シート４１とは連結する。
【００２１】
ファスナー４７は、例えば、隣接する第１の防水シート１におけるファスナー５と噛み合い、接続することができる。ファスナー４７が、隣接する第１の防水シート１におけるファスナー５と噛み合い、接続したとき、第２の防水シート４１と、隣接する第１の防水シート１とは連結する。  
また、ファスナー４７は、例えば、隣接する他の第２の防水シート４１におけるファスナー４５と噛み合い、接続することができる。ファスナー４７が、隣接する他の第２の防水シート４１におけるファスナー４５と噛み合い、接続したとき、第２の防水シート４１と、隣接する他の第２の防水シート４１とは連結する。
【００２２】
環状部材４９は、本体部４３に取り付けられている。環状部材４９は、本体部４３における端部５５に沿って複数配列されている。端部５５は、端部５１及び端部５３に隣接する端部である。複数の環状部材４９に、１本のベルト５７を通すことが可能である。
【００２３】
３．第１の防水シート１及び第２の防水シート４１の使用方法
第１の防水シート１及び第２の防水シート４１の使用方法を、図１〜図５に基づき説明する。第１の防水シート１及び第２の防水シート４１は、それぞれ、帯状に複数連結可能である。図５に示すように、第１の防水シート１及び第２の防水シート４１のうちの少なくとも一方を、帯状に複数連結し、連結体６１を形成する。
【００２４】
連結体６１は、例えば、第１の防水シート１と、第２の防水シート４１との両方を含む。また、連結体６１は、例えば、複数の第１の防水シート１のみを含む。連結体６１に含まれる第１の防水シート１の数、及び第２の防水シート４１の数は、連結体６１を使用する建物６３の形状や大きさに応じて適宜調整することができる。
【００２５】
連結体６１は、建物６３の周囲に配置される。上方から見て、連結体６１は環状である。連結体６１は、建物６３への浸水を抑制する。連結体６１における第１の防水シート１及び第２の防水シート４１の配置は適宜選択できる。建物６３の角６５に対向する部分には、第１の防水シート１を配置することが好ましい。
【００２６】
連結体６１において、第１の防水シート１と第２の防水シート４１とが隣接する場合、第１の防水シート１のファスナー５又はファスナー１１と、第２の防水シート４１のファスナー４５又はファスナー４７とが噛み合い、接続する。
【００２７】
連結体６１において、第２の防水シート４１同士が隣接する場合、一方の第２の防水シート４１のファスナー４５又はファスナー４７と、他方の第２の防水シート４１のファスナー４５又はファスナー４７とが噛み合い、接続する。
【００２８】
図５示すように、連結体６１を建物６３の周囲に配置したとき、図２、図３に示すように、第１の防水シート１の向きは、端部１９が上側となる向きである。第１の防水シート１が角６５に対向する場合、例えば、スリット１５の少なくとも一部は開放された状態となる。
【００２９】
本体部３は、部分３Ａと、部分３Ｂとを有する。部分３Ａとは、端部１９を含む上側の部分である。また、部分３Ａは、建物６３の壁６７に沿って、上下方向に延びている部分である。部分３Ａは、壁６７に接していてもよいし、接していなくてもよい。
【００３０】
部分３Ｂは、部分３Ａよりも端部１７の側に位置し、スリット１５の左右両側にある部分である。部分３Ｂの少なくとも一部は、開放されたスリット１５により分割されている。分割された部分３Ｂは、それぞれ、部分３Ａに対し屈曲し、壁６７から離れる方向に延びている。部分３Ｂは、地面６９、又は建物６３の下部構造体７１に上側から接している。下部構造体７１は、例えば、壁６７の下部に接続している。下部構造体７１は、例えば、壁６７から離れる方向に延びている。下部構造体７１は、例えば、地面６９の上に乗っている。
【００３１】
開放されたスリット１５は、伸展したスリットカバー部１４により覆われている。スリットカバー部１４は、地面６９、又は下部構造体７１に上側から接している。図３に示すように、部分３Ａと部分３Ｂとの境目の位置が、スリット１５の両側で異なる場合、スリットカバー部１４は、水平部分７１の側面７１Ａにも接する。
【００３２】
図５示すように、連結体６１を建物６３の周囲に配置したとき、図４に示すように、第２の防水シート４１の向きは、端部５５が上側となる向きである。環状部材４９及び環状部材１３は、連結体６１の長手方向に沿って一列に並ぶ。
【００３３】
本体部４３は、部分４３Ａと、部分４３Ｂとを有する。部分４３Ａとは、端部５５を含む上側の部分である。部分４３Ａは、建物６３の壁６７に沿って、上下方向に延びている部分である。
部分４３Ｂは、部分４３Ａよりも端部７３の側に位置する部分である。端部７３は、本体部４３における、端部５５とは反対側の端部である。部分４３Ｂは、部分４３Ａに対し屈曲し、壁６７から離れる方向に延びている。部分４３Ｂは、地面６９、又は建物６３の下部構造体７１に上側から接している。部分４３Ｂの上に鎖７５を置くことで、部分４３Ｂと、地面６９又は下部構造体７１との密着性を高めることができる。鎖７５に代えて、他の重しを用いてもよい。鎖７５又他の重しを、部分３Ｂの上に置いてもよい。
【００３４】
連結体６１を建物６３に固定するために、ベルト５７を使用することができる。ベルト５７を、例えば、全ての第１の防水シート１における環状部材１３と、全ての第２の防水シート４１における環状部材４９とに通す。ベルト５７は、例えば、建物６３の全周にわたって巻かれる。ベルト５７を閉めることで、連結体６１を建物６３に対し固定することができる。また、ベルト５７を閉めることで、連結体６１と建物６３との密着性を高めることができる。
【００３５】
連結体６１の位置を安定させるために、図４に示す支持部材７７を使用することができる。支持部材７７は、金属等の材料から成る線材を屈曲させた部材である。支持部材７７は、逆Ｖ字状の基本形態を有する。支持部材７７は、その上端付近に、谷部７９を有する。谷部７９は、下方に向けて凹んだ部分である。壁６７に沿って支持部材７７を立て、谷部７９に上方からベルト５７を差し込むことで、ベルト５７を支持することができる。ベルト５７を支持することにより、連結体６１の位置が安定する。支持部材７７でベルト５７を支持することで、特に、ベルト５７の上下方向における位置が安定する。
【００３６】
支持部材７７は、図４に示すように、環状部材４９に通されたベルト５７を支持してもよいし、環状部材１３に通されたベルト５７を支持してもよい。複数の支持部材７７を用いて、複数の位置でベルト５７を支持することができる。
【００３７】
連結体６１を構成する第１の防水シート１及び第２の防水シート４１の集合体は、防水シートの集合体に対応する。防水シートの集合体は、連結体６１を構成するために使用することができる。
４．第１の防水シート１及び第２の防水シート４１が奏する効果
（１Ａ）第１の防水シート１及び第２の防水シート４１のうちの少なくとも一方を複数連結し、建物６３の周囲に配置することができる。そのことにより、必ずしも大規模な工事を行わなくても建物６３への浸水を抑制することができる。
【００３８】
（１Ｂ）第１の防水シート１は、スリット１５、ファスナー７、９、及びスリットカバー部１４を備える。図２、図３に示すように、角６５に対向する部分に、第１の防水シート１を配置することができる。スリット１５の少なくとも一部は開放された状態となる。部分３Ｂの少なくとも一部は、開放されたスリット１５により分割されている。
【００３９】
部分３Ａは、壁６７を覆う。また、スリット１５により分割された部分３Ｂ及びスリットカバー部１４は、それぞれ、壁６７から離れる方向に延び、地面６９又は下部構造体７１を覆う。
よって、第１の防水シート１は、角６５の付近でも、壁６７と、地面６９又は下部構造体７１とを、隙間なく覆うことができる。その結果、第１の防水シート１は、建物６３への浸水を一層抑制することができる。
【００４０】
（１Ｃ）スリット１５の状態を、閉じた状態と、開放可能な状態との間で切り替える部材は、ファスナー７、９である。そのため、スリット１５の状態を容易に変更することができる。
（１Ｄ）第１の防水シート１は、他の第１の防水シート１又は第２の防水シート４１と連結するために、ファスナー５、１１を備える。そのため、第１の防水シート１を、他の第１の防水シート１又は第２の防水シート４１と連結すること、及び切り離すことが容易である。
【００４１】
第２の防水シート４１は、第１の防水シート１又は他の第２の防水シート４１と連結するために、ファスナー４５、４７を備える。そのため、第２の防水シート４１を、第１の防水シート１又は他の第２の防水シート４１と連結すること、及び切り離すことが容易である。
【００４２】
（１Ｅ）第１の防水シート１は、環状部材１３を備える。第２の防水シート４１は、環状部材４９を備える。環状部材１３及び環状部材４９にベルト５７を通すことにより、第１の防水シート１及び第２の防水シート４１の位置を安定させることができる。
【００４３】
（１Ｆ）第１の防水シート１及び第２の防水シート４１の集合体を用いて、連結体６１を構成することができる。
５．他の実施形態
以上、本開示の実施形態について説明したが、本開示は上述の実施形態に限定されることなく、種々変形して実施することができる。
【００４４】
（１）スリット１５の状態を、閉じた状態と、開放可能な状態との間で切り替え可能な開閉部材として、ファスナー７、９に代えて、他の開閉部材を用いてもよい。他の開閉部材として、例えば、面ファスナー等が挙げられる。面ファスナーを用いた場合も、前記（１Ｃ）の効果を奏することができる。
【００４５】
（２）第１の防水シート１を、他の第１の防水シート１又は第２の防水シート４１と連結するための部材として、ファスナー５、１１に代えて、他の部材を用いてもよい。他の部材として、例えば、面ファスナー等が挙げられる。面ファスナーを用いた場合も、前記（１Ｄ）の効果を奏することができる。
【００４６】
第２の防水シート４１を、第１の防水シート１又は他の第２の防水シート４１と連結するための部材として、ファスナー４５、４７に代えて、他の部材を用いてもよい。他の部材として、例えば、面ファスナー等が挙げられる。面ファスナーを用いた場合も、前記（１Ｄ）の効果を奏することができる。
【００４７】
（３）上記各実施形態における１つの構成要素が有する機能を複数の構成要素に分担させたり、複数の構成要素が有する機能を１つの構成要素に発揮させたりしてもよい。また、上記各実施形態の構成の一部を省略してもよい。また、上記各実施形態の構成の少なくとも一部を、他の上記実施形態の構成に対して付加、置換等してもよい。
【００４８】
（４）上述した防水シートの他、当該防水シートを構成要素とするシステム、建物の防水方法等、種々の形態で本開示を実現することもできる。
【符号の説明】
【００４９】
１…第１の防水シート、３…本体部、５、７、９、１１、４５、４７…ファスナー、１３、４９…環状部材、１４…スリットカバー部、１５…スリット、１７、１９、２１、２３、２５、２７、２９、３１、５１、５３、５５、７３…端部、３３…頂点、４１…第２の防水シート、４３…本体部、５７…ベルト、６１…連結体、６３…建物、６５…角、６７…壁、６９…地面、７１…下部構造体、７１Ａ…側面、７５…鎖、７７…支持部材、７９…谷部
【要約】
【課題】必ずしも大規模な工事を行わなくても建物への浸水を抑制できる防水シート及び防水シートの集合体を提供すること。
【解決手段】防水シートは、建物の周囲に配置される。防水シートは、建物への浸水を抑制する。複数の防水シートを帯状に連結可能である。防水シートは、例えば、スリットと、開閉部材と、スリットカバー部と、を備える。スリットは、防水シートの一方の端部から、反対側の端部に向けて延びる。開閉部材は、スリットの状態を、閉じた状態と、開放可能な状態との間で切り替え可能である。スリットカバー部は、スリットの両端に接続し、スリットが閉じているときは屈曲した状態にあり、スリットが開放したときは伸展する。
【選択図】図１【図１】
0006867658.tif 000002
【図２】
0006867658.tif 000003
【図３】
0006867658.tif 000004
【図４】
0006867658.tif 000005
【図５】
0006867658.tif 000006